(57)【要約】【課題】フェライトコアの種類及びフェライトコアの取付状態の適否を検査できるようにすること。【解決手段】複数の電線１１，１２，１３，１４，１５を有するワイヤーハーネス１０に取付けられたフェライトコア１８の取付適否を検査するフェライトコアの取付適否検査装置２０である。取付適否検査装置２０は、複数の電線１１，１２，１３，１４，１５のうち少なくとも一つに、所定周波数域の計測用信号を供給する計測用信号供給部４２と、電線の減衰特性に応じた波形を測定する測定部４４と、測定部で測定された測定波形データと基準波形データとを比較し、比較結果に基づいてフェライトコアの取付適否を判別する検査制御装置６０とを備えている。【選択図】図４
2010271114.tif 000002
【特許請求の範囲】
【請求項１】
複数の電線を有するワイヤーハーネスに取付けられたフェライトコアの取付適否を検査するフェライトコアの取付適否検査装置であって、
前記複数の電線のうち少なくとも一つに、所定周波数域の計測用信号を供給する計測用信号供給部と、
前記計測用信号が供給された電線の減衰特性に応じた物理量を測定する測定部と、
前記測定部による測定結果と所定の適否判別条件とに基づいてフェライトコアの取付適否を判別する判別部と、
を備えるフェライトコアの取付適否検査装置。
【請求項２】
請求項１記載のフェライトコアの取付適否検査装置であって、
前記所定の適否判別条件は、測定された物理量と予め設定された適正物理量との一致度合が所定範囲内であるか否かという条件、を含む、フェライトコアの取付適否検査装置。
【請求項３】
請求項１又は請求項２記載のフェライトコアの取付適否検査装置であって、
前記判別部は、供給された計測用信号の周波数域を複数に分割した分割周波数域毎に、測定された物理量と予め設定された適正物理量とを比較することで、フェライトコアの取付適否を判別する、フェライトコアの取付適否検査装置。
【請求項４】
請求項１〜請求項３のいずれか１項に記載のフェライトコアの取付適否検査装置であって、
前記計測用信号供給部を前記複数の電線に順次切替えて接続可能な第１切替部と、
前記第１切替部の切替接続に連動して前記測定部を前記複数の電線に順次切替えて接続可能な第２切替部と、
をさらに備えるフェライトコアの取付適否検査装置。
【請求項５】
請求項４記載のフェライトコアの取付適否検査装置であって、
前記第１切替部及び前記第２切替部のうち少なくとも一方は、前記計測用信号供給部により計測用信号を供給している電線を除く電線を接地する、フェライトコアの取付適否検査装置。
【発明の詳細な説明】
【技術分野】
【０００１】
この発明は、ワイヤーハーネスに対するフェライトコアの取付適否を検査する装置に関する。
【背景技術】
【０００２】
ワイヤーハーネスを構成する電線には、高周波電流によるノイズを除去するために、フェライトコアが取付けられることがある。
【０００３】
従来では、ワイヤーハーネスに取付けられたフェライトコアの有無を、目視等で確認する検査が行われていた。
【発明の概要】
【発明が解決しようとする課題】
【０００４】
しかしながら、フェライトコアをワイヤーハーネスに取付けるにあたっては、フェライトコアの種類及びフェライトコアの取付状態（フェライトコアに対して電線を巻付ける回数、フェライトコアに挿通させるべき電線或は挿通させるべきでない電線の適否等）が適正である必要がある。
【０００５】
そこで、本発明は、フェライトコアの種類及びフェライトコアの取付状態の適否を検査できるようにすることを目的とする。
【課題を解決するための手段】
【０００６】
上記課題を解決するため、第１の態様に係るフェライトコアの取付適否検査装置は、複数の電線を有するワイヤーハーネスに取付けられたフェライトコアの取付適否を検査するフェライトコアの取付適否検査装置であって、前記複数の電線のうち少なくとも一つに、所定周波数域の計測用信号を供給する計測用信号供給部と、前記計測用信号が供給された電線の減衰特性に応じた物理量を測定する測定部と、前記測定部による測定結果と所定の適否判別条件とに基づいてフェライトコアの取付適否を判別する判別部と、を備えるものである。
【０００７】
第２の態様に係るフェライトコアの取付適否検査装置は、第１の態様に係るフェライトコアの取付適否検査装置であって、前記所定の適否判別条件は、測定された物理量と予め設定された適正物理量との一致度合が所定範囲内であるか否かという条件、を含むものである。
【０００８】
第３の態様に係るフェライトコアの取付適否検査装置は、第１又は第２の態様に係るフェライトコアの取付適否検査装置であって、前記判別部は、供給された計測用信号の周波数域を複数に分割した分割周波数域毎に、測定された物理量と予め設定された適正物理量とを比較することで、フェライトコアの取付適否を判別するものである。
【０００９】
第４の態様に係るフェライトコアの取付適否検査装置は、第１〜第３のいずれかの態様に係るフェライトコアの取付適否検査装置であって、前記計測用信号供給部を前記複数の電線に順次切替えて接続可能な第１切替部と、前記第１切替部の切替接続に連動して前記測定部を前記複数の電線に順次切替えて接続可能な第２切替部と、をさらに備えるものである。
【００１０】
第５の態様に係るフェライトコアの取付適否検査装置は、第４の態様に係るフェライトコアの取付適否検査装置であって、前記第１切替部及び前記第２切替部のうち少なくとも一方は、前記計測用信号供給部により計測用信号を供給している電線を除く電線を接地するものである。
【発明の効果】
【００１１】
第１の態様に係るフェライトコアの取付適否検査装置によると、複数の電線のうち少なくとも一つに計測用信号を供給し、この電線の減衰特性に応じた物理量を測定する。ここで、フェライトの取付の有無、フェライトの取付状態等に応じて、電線の減衰特性は変動する。そこで、前記測定部による測定結果と所定の適否判別条件とに基づいてフェライトコアの取付適否を判別することで、ワイヤーハーネスに取付けられたフェライトコアの種類及びワイヤーハーネスに対するフェライトコアの取付状態の適否を検査できる。
【００１２】
第２の態様に係るフェライトコアの取付適否検査装置によると、測定された物理量と予め設定された適正物理量との一致度合が所定範囲内であるか否かをもって、フェライトコアの取付適否を検査できる。
【００１３】
第３の態様に係るフェライトコアの取付適否検査装置によると、供給された計測用信号の周波数域を複数に分割した分割周波数域毎に、測定された物理量と予め設定された適正物理量とを比較することで、フェライトコアの取付適否を判別するため、限定された周波数域において、測定された物理量が予め設定された適正物理量から外れているような場合にも、ワイヤーハーネスに取付けられたフェライトコアの種類及びワイヤーハーネスに対するフェライトコアの取付状態の適否をより正確に検査できる。
【００１４】
第４の態様に係るフェライトコアの取付適否検査装置によると、ワイヤーハーネスを構成する複数の電線に対して、順次計測用信号を供給して減衰特性に応じた物理量を測定し、その測定結果に基づいてワイヤーハーネスに取付けられたフェライトコアの種類及びワイヤーハーネスに対するフェライトコアの取付状態の適否を検査できる。このため、より正確な検査を実施できる。
【００１５】
第５の態様に係るフェライトコアの取付適否検査装置によると、前記第１切替部及び前記第２切替部のうち少なくとも一方は、前記計測用信号供給部により計測用信号を供給している電線を除く電線を接地するため、他の電線による影響をなるべく排除した測定結果を得ることができ、より正確な検査を行うことができる。
【図面の簡単な説明】
【００１６】
【図１】検査対象となるワイヤーハーネスの一例を示す概略図である。
【図２】フェライトコアに対する電線の巻付例を示す概略図である。
【図３】フェライトコアに対する電線の巻付例を示す概略図である。
【図４】実施形態に係るフェライトコアの取付適否検査装置の全体構成を示す概略図である。
【図５】スキャンインターフェース装置を示すブロック図である。
【図６】スペクトラムアナライザによる測定波形例を示す図である。
【図７】スペクトラムアナライザによる測定波形例を示す図である。
【図８】検査制御装置を示すブロック図である。
【図９】検査制御装置の動作を示すフローチャートである。
【発明を実施するための形態】
【００１７】
以下、実施形態に係るフェライトコアの取付適否検査装置について説明する。
【００１８】
＜ワイヤーハーネス＞
まず、説明の便宜上、検査対象となるワイヤーハーネス１０について説明する。図１はワイヤーハーネス１０の一例を示す概略図である。このワイヤーハーネス１０は、複数の電線１１，１２，１３，１４，１５と、２つのコネクタ１６ａ，１６ｂと、フェライトコア１８を有している。複数の電線１１，１２，１３，１４，１５は、並列状に束ねられており、その各一端部１１ａ，１２ａ，１３ａ，１４ａ，１５ａが一方のコネクタ１６ａに接続されると共に、その各他端部１１ｂ，１２ｂ，１３ｂ，１４ｂ，１５ｂが他方のコネクタ１６ｂに接続されている。
【００１９】
また、上記複数の電線１１，１２，１３，１４，１５のうち少なくとも一つ（ここでは電線１１，１２）がフェライトコア１８に挿通されることで、当該フェライトコア１８が本ワイヤーハーネス１０に取付けられている。上記フェライトコア１８は、略環状形状を有しており、高周波電流によるノイズ等を除去する目的で取付けられる。通常、ワイヤーハーネス１０を通じて伝送される信号のノイズ除去の必要性、必要とされるノイズ除去特性等に応じて、所定のノイズ除去特性を持つフェライトコア１８が、所定の電線１１，１２，１３，１４，１５に取付けられる。
【００２０】
また、フェライトコア１８のノイズ除去特性は、電線１１，１２，１３，１４，１５に対する取付態様によっても左右される。例えば、図２では電線１１をフェライトコア１８に３回巻付けた状態を示しており、図３では電線１１をフェライトコア１８に２回巻付けた状態を示している。このように、電線１１，１２，１３，１４，１５をフェライトコア１８に巻付ける回数等によって、フェライトコア１８のノイズ除去特性が左右される。このため、必要とされるノイズ除去特性等に応じて、電線１１，１２，１３，１４，１５に対するフェライトコア１８の取付態様も設計上規定される。
【００２１】
本フェライトコア１８の取付適否検査装置は、上記フェライトコア１８の種類及びフェライトコア１８の取付状態（フェライトコア１８に対して電線１１，１２，１３，１４，１５を巻付ける回数、フェライトコア１８に挿通させるべき電線１１，１２，１３，１４，１５の適否等）が適正であるか否かを検査する装置である。
【００２２】
なお、検査対象となるワイヤーハーネス１０は、上記例に限られず、より少数又は多数の電線を有するもの、電線が途中で分岐しているもの、より多数のコネクタが接続されているもの、より多数のフェライトコア１８を有するもの等であってもよい。
【００２３】
＜フェライトコアの取付適否検査装置の全体説明＞
図４はフェライトコア１８の取付適否検査装置２０の全体構成を示す概略図である。この取付適否検査装置２０は、ワイヤーハーネスセット機構部２２と、スキャンインターフェース装置３０と、スペクトラムアナライザ４０と、検査制御装置６０と、導通検査装置８０とを備えている。
【００２４】
ワイヤーハーネスセット機構部２２は、ワイヤーハーネス１０の各コネクタ１６ａ，１６ｂにコネクタ接続可能な検査用コネクタ２４ａ，２４ｂを有している。各検査用コネクタ２４ａ，２４ｂには、ワイヤーハーネス１０の各電線１１、１２，１３，１４，１５に対応する本数の電線を有する中継ケーブル２５ａ，２５ｂが接続されている。この中継ケーブル２５ａ，２５ｂは、ワイヤーハーネスセット機構部２２から外部に引出されて、スキャンインターフェース装置３０に接続されている。そして、ワイヤーハーネス１０の各コネクタ１６ａ，１６ｂを、それぞれ対応する検査用コネクタ２４ａ，２４ｂにコネクタ接続することで、各電線１１，１２，１３，１４，１５の各一端部１１ａ，１２ａ，１３ａ，１４ａ，１５ａ及び各他端部１１ｂ，１２ｂ，１３ｂ，１４ｂ，１５ｂがそれぞれ別々の配線を経由してスキャンインターフェース装置３０に接続されるようになっている。
【００２５】
スペクトラムアナライザ４０は、計測対象信号に関して周波数成分毎に電力又は電圧を測定する一般的な計測装置であり、ここでは、計測用信号供給部４２と測定部４４とを有している。計測用信号供給部４２は、周波数スイープ機能付のファンクションジェネレータ等であり、計測用信号として、所定周波数域の計測用信号を生成して出力可能に構成されている。上記周波数域は、例えば、０ＭＨｚ〜３００ＭＨｚの範囲である。この範囲であれば、一般的な自動車等のワイヤーハーネス１０で使用されているフェライトコア１８のノイズ除去特性に鑑みて、その有無、種類の適否、取付態様の適否を判定できるからである。なお、計測用信号は、交流信号であっても脈流信号であってもよく、また、ｓｉｎ波形を呈するものであっても、パルス波形を呈するものであってもよい。要するに、経時的に振幅が変動する信号であればよい。また、計測用信号は、周波数域内において周波数が経時的に変化する信号であっても、所定の周波数域における複数の周波数成分が含まれる信号であってもよい。計測用信号は、スキャンインターフェース装置３０を介して、複数の電線１１，１２，１３，１４，１５のうちの一つの一端部に選択的に入力される。また、測定部４４は、所定周波数域内で計測対象信号の電力又は電圧のレベル（振幅）に応じた値を測定可能に構成されている。この測定部４４は、スキャンインターフェース装置３０を介して、複数の電線１１，１２，１３，１４，１５のうちの一つの他端部に選択的に入力される。そして、上記測定用信号が供給された一つの電線１１，１２，１３，１４，１５の信号減衰特性に応じた物理量として、所定周波数域内で計測対象信号の電力又は電圧のレベル（振幅）に応じた値が測定され、その測定結果が測定波形データとして出力される。
【００２６】
導通検査装置８０は、通電の有無を検査することで導通の有無を検査する一般的な検査装置である。この導通検査装置８０は、スキャンインターフェース装置３０を介して複数の電線１１，１２，１３，１４，１５に接続され、それぞれの電線１１，１２，１３，１４，１５に対して順次通電の有無を検査することで、当該電線１１，１２，１３，１４，１５の断線の有無等を検査する。このような導通検査装置８０自体は、周知であるため、詳細な説明は省略する。
【００２７】
検査制御装置６０は、上記スキャンインターフェース装置３０の切替制御を行うと共に、スペクトラムアナライザ４０及び導通検査装置８０の動作制御を行う。また、検査制御装置６０は、スペクトラムアナライザ４０からの測定結果である測定波形データに基づいてワイヤーハーネス１０に取付けられたフェライトコア１８の適否を検査する処理を実行すると共に、その検査結果及び導通検査装置８０の検査結果に基づいてワイヤーハーネス１０の総合合否判定処理を行う。
【００２８】
スキャンインターフェース装置３０は、一種のアナログマルチプレクサとしの機能を有しており、検査制御装置６０による制御下、スペクトラムアナライザ４０及び導通検査装置８０のうちの一方を、複数の電線１１，１２，１３，１４，１５に対して選択的に接続する。
【００２９】
そして、本取付適否検査装置２０では、検査制御装置６０がスキャンインターフェース装置３０を切替制御することで、導通検査装置８０をワイヤーハーネス１０の各電線１１，１２，１３，１４，１５に接続して導通検査を行い、また、スペクトラムアナライザ４０を順次ワイヤーハーネス１０の各電線１１，１２，１３，１４，１５に接続して上記測定波形データを得ることで、ワイヤーハーネス１０に対するフェライトコア１８の取付適否検査を行うように構成されていえる。
【００３０】
上記スキャンインターフェース装置３０、スペクトラムアナライザ４０における測定波形例、検査制御装置６０についてより具体的に説明する。
【００３１】
＜スキャンインターフェース装置＞
図５はスキャンインターフェース装置３０を示すブロック図である。このスキャンインターフェース装置３０は、検査装置を切替接続するスイッチ部として、複数の第１装置切替部３８及び複数の第２装置切替部３９を有する装置切替部３７を備えると共に、スペクトラムアナライザ４０による検査時に電線を切替接続するスイッチ部として、複数の第１電線切替部３１〜３５及び第２電線切替部３６を有する電線切替部３０Ｘとを備えている。上記ワイヤーハーネス１０の各電線１１，１２，１３，１４，１５は、ワイヤーハーネスセット機構部２２、中継ケーブル２５ａ，２５ｂ、コネクタＣ１等を介して第１装置切替部３８及び第２装置切替部３９に接続されている。また、スペクトラムアナライザ４０及び導通検査装置８０は、中継配線、コネクタＣ２等を介して第１電線切替部３１〜３５及び第２電線切替部３６に接続されている。また、検査制御装置６０からの制御用の配線も、中継配線、コネクタ接続等を介して本スキャンインターフェース装置３０に接続されており（図示省略）、装置切替部３７及び電線切替部３０Ｘにそれらを切替制御可能に接続されている。
【００３２】
上記装置切替部３７の複数の第１装置切替部３８及び複数の第２装置切替部３９は、機械接点式或は半導体式の高周波リレー等により構成されている。複数の第１装置切替部３８は、それぞれ電線側（電線１１〜１５の一端部）に接続される共通端子３８Ｃと、スペクトラムアナライザ４０側に接続される第１端子３８Ａと、導通検査装置８０側に接続される第２端子３８Ｂとを有している。また、複数の第２装置切替部３９は、それぞれ電線側（電線１１〜１５の他端部）に接続される共通端子３９Ｃと、スペクトラムアナライザ４０側に接続される第１端子３９Ａと、導通検査装置８０側に接続される第２端子３９Ｂとを有している。そして、検査制御装置６０による制御下、複数の電線１１〜１５の両端部が共通する検査装置に接続可能な状態となるように、複数の共通端子３８Ｃ，３９Ｃが第１端子３８Ａ，３９Ａ及び第２端子３８Ｂ，３９Ｂに選択的に切替接続されるようになっている。ここでは、導通検査を行う場合には、全ての共通端子３８Ｃ，３９Ｃを第２端子３８Ｂ，３９Ｂに接続し、スペクトラムアナライザ４０による検査を行う場合には、全ての共通端子３８Ｃ，３９Ｃを第１端子３８Ａ，３９Ａに接続する。
【００３３】
複数の第１電線切替部３１〜３５は、それぞれ機械接点式或は半導体式の高周波リレー等により構成されるものであり、それぞれの第１電線切替部３１〜３５は、第１装置切替部３８を介して電線側に別々に接続される共通端子３１Ｃ〜３５Ｃと、検査装置側（スペクトラムアナライザ４０）に共通接続される第１端子３１Ａ〜３５Ａと、グランドに共通接続される第２端子３１Ｂ〜３５Ｂとを有している。第１電線切替部３１〜３５は、検査制御装置６０からの制御信号に基づいて選択的に動作し、非選択状態（検査制御装置６０からの制御信号オフ状態）では、共通端子３１Ｃ〜３５Ｃがそれぞれ第２端子３１Ｂ〜３５Ｂに対して接続されて接地状態とされ、選択状態（検査制御装置６０からの制御信号オン状態）では、共通端子３１Ｃ〜３５Ｃがそれぞれ第１端子３１Ａ〜３５Ａに対して接続される。そして、検査制御装置６０による各第１電線切替部３１〜３５の個別制御下、第１電線切替部３１〜３５は、計測用信号供給部４２を複数の電線１１，１２，１３，１４，１５に順次選択的に切替接続するとされると共に、当該計測用信号供給部４２により計測用信号を供給している電線を除く電線（例えば電線１１に計測用信号を供給している場合には、他の電線１２，１３，１４，１５）を接地するように構成される。なお、上記接地は必須ではない。また、接地を行う場合、第１電線切替部及び第２電線切替部の少なくとも一方で行われればよい。
【００３４】
また、第２電線切替部３６は、機械接点式或は半導体式の高周波リレー等により構成されるものであり、検査装置側（スペクトラムアナライザ４０）に接続される共通端子３６Ｃと、第１装置切替部３８を介して別々に電線側に接続される複数（ここでは電線数に応じて５つ）の切替端子３６Ａ１〜３６Ａ５とを有している。そして、検査制御装置６０による制御下、第２電線切替部３６は、第１電線切替部３１〜３５の切替接続に連動して、順次切替制御される。すなわち、第２電線切替部３６は、共通端子３６Ｃが、第１電線切替部３１〜３５で選択され切替接続された電線１１，１２，１３，１４，１５に対応する切替端子３６Ａ１〜３６Ａ５に選択的に接続されるように切替制御される。
【００３５】
そして、検査制御装置６０による切替制御下、装置切替部３７が導通検査装置８０及びスペクトラムアナライザ４０に選択的に接続され、導通検査装置８０による検査及びスペクトラムアナライザ４０を用いた検査が選択的に実行可能となる。また、検査制御装置６０による切替制御下、スペクトラムアナライザ４０を用いた検査中には、第１電線切替部３１〜３５及び第２電線切替部３６が電線１１，１２，１３，１４，１５のいずれか一つに選択的に接続され、電線１１，１２，１３，１４，１５に対する検査が順次実行可能となる。
【００３６】
＜波形例＞
図６及び図７はスペクトラムアナライザ４０による測定波形例を示す図である。各図において、横軸は周波数、縦軸は電力又は電圧に応じた値を示している。
【００３７】
ここでは、測定対象となるワイヤーハーネス１０のうちの一つの電線１１を対象とする場合を考える。この電線１１には、設計上、所定の態様（巻回数等）でフェライトコア１８が取付けられるべきであるとする。
【００３８】
この場合、設計上の適正な所定の態様で電線１１に対してフェライトコア１８が取付けられている場合に、当該電線１１にける信号減衰特性に応じて観測されるべき基準波形データ９０Ａを図６及び図７において実線で示す。なお、この基準波形データ９０Ａは、予め計測しておいたデータとして得ることができる。
【００３９】
そして、実際の検査対象となる電線１１に対して適正な所定の態様でフェライトコア１８が取付けられている場合に、測定される測定波形データ９０Ｂは、図６において点線で示すように、上記基準波形データ９０Ａとほぼ一致する。
【００４０】
一方、検査対象となる電線１１に対してフェライトコア１８が取付けられていない場合、所望の信号減衰特性を得ることができない。この場合、例えば、測定波形データ９０Ｃは、図６において２点鎖線で示すように、基準波形データ９０Ａに対して上方にシフトした波形として観測される。
【００４１】
また、フェライトコア１８に対して検査対象となる電線１１が適正な回数よりも多く或は少ない回数巻付けられている場合にも、所望の信号減衰特性を得ることができない。この場合、例えば、測定波形データ９０Ｄは、図７において点線で示すように、基準波形データ９０Ａに対して、一部の周波数域においてずれた波形として観測される。
【００４２】
また、検査対象となる電線１１に取付けられたフェライトコア１８自体の種類が設計上のものとは異なっている場合にも、所望の信号減衰特性を得ることができない。この場合、例えば、測定波形データ９０Ｅは、図７において１点鎖線で示すように、基準波形データ９０Ａに対して、一部の周波数域においてずれた波形として観測される。
【００４３】
このように、フェライトコアの種類及びフェライトコアの取付状態が不適正である場合には、測定波形データ９０Ｂ〜９０Ｅは、基準波形データ９０Ａに対して、少なくとも一部の周波数域においてずれた波形として観測される。
【００４４】
＜検査制御装置＞
図８は検査制御装置６０を示すブロック図である。検査制御装置６０は、測定部４４による測定結果である測定波形データと、所定の適否判別条件とに基づいてフェライトコア１８の取付適否を判別する判別部６３としての処理を実行可能に構成されている。
【００４５】
より具体的には、検査制御装置６０は、ＣＰＵ６２、ＲＡＭ６４、ストレージ６６、入力部６８、表示部７０、外部接続インターフェース７２〜７４等がバスライン６１を介して相互接続された一般的なコンピュータによって構成されている。
【００４６】
上記ストレージ６６は、ハードディスク装置或はフラッシュメモリ等の不揮発性の記憶装置によって構成された補助記憶装置であり、後に詳述する判別部としての処理等を行うためのプログラムが格納されると共に、判別処理に供される基準波形データ９０Ａが格納されている。なお、上記プログラムには、所定の適否判別条件の規定が含まれている。また、基準波形データ９０Ａは、予め作業者等によって設定されたデータであり、例えば、設計上の適正な所定の態様でフェライトコア１８が取付けられた電線１１に対して、予めスペクトラムアナライザ４０による測定を行うことで得られたデータである。基準波形データ９０Ａは、例えば、周波数の離散値の変化に応じて計測対象信号の電力又は電圧のレベル（振幅）に応じた離散値が並ぶデータ、或は、近似式で表されたデータとして設定される。
【００４７】
ＲＡＭ６４は、ＣＰＵ６２が所定の処理を行う際の作業領域として供される。後述する判別処理中には、検査中の測定波形データ６４ａ、比較結果データ６４ｂが本ＲＡＭ６４に一時的に格納される。
【００４８】
ＣＰＵ６２は、主制御部としてストレージ６６に格納されたプログラムに従って演算処理を行うことで、判別部６３としての処理を実行する。判別部６３としては、機能的には、基準波形データ９０Ａと測定波形データ６４ａとを比較して比較結果を演算する比較部６３ａとしての機能と、得られた比較結果データに基づいてフェライトコア１８の取付適否を判定する適否判定部６３ｂとしての機能とを含んでいる。また、ここでは、ＣＰＵ６２は、前記プログラムに従って、スキャンインターフェース装置３０を切替制御する切替制御部６３ｃとしての機能をも有している。これらの処理機能については、後で説明するフローチャートに従ってさらに詳述する。
【００４９】
入力部６８は、複数のスイッチを有するキーボード等であり、本検査制御装置６０に対する諸指示、諸設定等を受付け可能に構成されている。
【００５０】
表示部７０は、液晶表示装置等であり、本検査制御装置６０による検査結果等の諸情報を表示可能に構成されている。
【００５１】
外部接続インターフェース７２〜７４は、本検査制御装置６０が外部機器との間で諸信号を送受信するための入出力回路であり、上記スキャンインターフェース装置３０、スペクトラムアナライザ４０及び導通検査装置８０が外部接続インターフェース７２〜７４を介して本検査制御装置６０に接続されている。本検査制御装置６０は、スキャンインターフェース装置３０、スペクトラムアナライザ４０及び導通検査装置８０に対して諸指令を送信すると共に、スペクトラムアナライザ４０からの測定波形データを受信し、さらに、導通検査装置８０からの検査結果を受信する。
【００５２】
なお、上記検査制御装置６０が行う一部或は全部の処理機能は、専用の論理回路等でハードウェア的に実現されてもよい。
【００５３】
＜動作＞
図９は本検査制御装置６０の動作を示すフローチャートである。
【００５４】
はじめに、作業者がワイヤーハーネス１０をワイヤーハーネスセット機構部２２にセットした状態で、検査開始指令を与える。
【００５５】
すると、ステップＳ１において、検査制御装置６０は導通検査を行う処理を開始する。導通検査は、検査制御装置６０がスキャンインターフェース装置３０に切替指令を与えた後、導通検査装置８０に導通検査指令を与えることでなされる。すなわち、検査制御装置６０は、装置切替部３７の全ての第１装置切替部３８の共通端子３８Ｃを第２端子３８Ｂに接続すると共に全ての第２装置切替部３９の共通端子３９Ｃを第２端子３９Ｂに接続するように切替制御して、導通検査装置８０が電線１１，１２，１３，１４，１５に接続されるようにする。この状態で、検査制御装置６０は、導通検査装置８０に導通検査指令を与える。これにより、導通検査装置８０により、各電線１１，１２，１３，１４，１５に対する導通検査が行われる。その導通検査結果は、導通検査装置８０から検査制御装置６０に与えられる。
【００５６】
導通検査が終了すると、ステップＳ２に進む。ステップＳ２では、検査制御装置６０は、装置切替部３７をスペクトラムアナライザ４０側に切替接続するようにスキャンインターフェース装置３０に切替指令を与える。すなわち、検査制御装置６０は、装置切替部３７の全ての第１装置切替部３８の共通端子３８Ｃを第１端子３８Ａに接続すると共に全ての第２装置切替部３９の共通端子３９Ｃを第１端子３９Ａに接続するように切替制御する。
【００５７】
次ステップＳ３では、検査制御装置６０は、第１電線切替部３１〜３５の共通端子３１Ｃ〜３５Ｃと第２電線切替部３６の切替端子３６Ａ１〜３６Ａ５とが、それぞれ各電線１１，１２，１３，１４，１５のうちの共通する一つに選択的に接続されるように、スキャンインターフェース装置３０に選択的接続指令を与える。これにより、各電線１１，１２，１３，１４，１５のうちの一つが、スペクトラムアナライザ４０に接続された状態となる。
【００５８】
次ステップＳ４において、検査制御装置６０は、スペクトラムアナライザ４０に計測用信号供給指令及び測定指令を与える。これにより、各電線１１，１２，１３，１４，１５のうちの一つに対して、計測用信号が与えられると共に、その減衰特性に応じた測定波形が測定される。この測定結果に基づく測定波形データ６４ａは、スペクトラムアナライザ４０から検査制御装置６０に送信され、ＲＡＭ６４に格納される。
【００５９】
次ステップＳ５において、検査制御装置６０は、測定対象となった所定の周波数域を複数に分割した分割周波数域毎に、測定波形データ６４ａと基準波形データ９０Ａとを比較し、その比較結果を比較結果データ６４ｂとしてＲＡＭ６４に格納する。ここで、分割周波数域は、例えば、測定対象となった所定の周波数域を、低周波数域（例えば、０〜１００ｋＨｚ）、中周波数域（１００ｋＨｚ〜１００ＭＨｚ）、高周波数域（１００ＭＨｚ）に３分割した帯域である。また、測定波形データ６４ａと基準波形データ９０Ａとの比較結果データは、データの一致度合を評価可能な種々の値を用いることができる。例えば、分割周波数域略全域において、測定波形データ６４ａと基準波形データ９０Ａとの相対誤差（一致割合）を求め、これを比較結果データとしてもよいし、或は、分割周波数域における測定波形データ６４ａと基準波形データ９０Ａとの相対誤差の平均値を比較結果データとしてもよい。また、測定波形データ６４ａと基準波形データ９０Ａとの相関係数を比較結果データとしてもよい。
【００６０】
次ステップＳ６では、検査制御装置６０は、比較結果データ６４ｂに基づいてフェライトコア１８の取付適否を判定する処理を実行する。すなわち、上記分割周波数域毎に、比較結果データ６４ｂが所定の条件を満たしているか否かを判定する。所定の条件は、例えば、比較結果データ６４ｂとして測定波形データ６４ａと基準波形データ９０Ａとの相対誤差を採用した場合には、当該相対誤差が所定の誤差範囲内か否か（例えば、±５％以内か否か）といった条件である。ここで、分割周波数域内の全域において相対誤差が誤差範囲内である場合に条件を満たすとしてもよいし、或は、相対誤差が一部周波数において誤差範囲外であっても大部分の周波数域において誤差範囲内であれば条件を満たすと判断してもよい。
【００６１】
つまり、上記したように、フェライトコア１８の取付の有無、フェライトコア１８の取付状態が、設計上の規定と一致していると、測定波形データ６４ａと基準波形データ９０Ａとは比較的よく一致する。一方、フェライトコア１８の取付の有無、フェライトコア１８の取付状態が、設計上の規定と異なっていると、測定波形データ６４ａと基準波形データ９０Ａとは比較的大きく異なる。このため、例えば、上記のような比較結果データを所定の基準値に対して大小比較する等の条件で、比較結果データ６４ｂに基づく判定を行うことで、フェライトコア１８の取付適否を識別することができる。
【００６２】
そして、全ての分割周波数域において、所定の条件を満たしていると判断されれば、フェライトコア１８の取付適否は適切であると判定される。一方、いずれかの分割周波数域において、所定の条件を満たしていないと判断されれば、フェライトコア１８の取付適否は不適切であると判定される。
【００６３】
この後、ステップＳ７に進む。ステップＳ７では、全ての電線１１，１２，１３，１４，１５に対して測定及び適否判定が終了したか否かが判断される。そして、未終了である場合には、ステップＳ３に戻る。ステップＳ３では、検査制御装置６０は、各電線１１，１２，１３，１４，１５のなかから選択されていない一つを選択して切替接続するように、スキャンインターフェース装置３０に選指令を与える。この後、ステップＳ４〜Ｓ６を実行して、測定及び適否判定処理を実行する。
【００６４】
一方、ステップＳ７において、全ての電線１１，１２，１３，１４，１５に対する測定及び適否判定が終了したと判断されると、ステップＳ８に進む。
【００６５】
ステップＳ８では、ステップＳ１における導通検査結果、ステップＳ６における適否判定結果に基づき、ワイヤーハーネス１０の総合合否判定を行う。つまり、全ての検査に合格していれば合格と判定し、いずれかの検査に不合格であれば不合格と判定する。そして、その判定結果を表示部７０等に表示し、処理を終了する。
【００６６】
以上のように構成されたフェライトコア１８の取付適否検査装置２０によると、複数の電線１１，１２，１３，１４，１５のうちの少なくとも一つに計測用信号を供給し、その減衰特性に応じた測定波形データ６４ａを得、当該測定波形データ６４ａと基準波形データ９０Ａとを比較し、その比較結果データ６４ｂを評価することで、ワイヤーハーネス１０に取付けられたフェライトコア１８の種類及びワイヤーハーネス１０に対するフェライトコア１８の取付状態の適否を検査することができる。
【００６７】
特に、指定された電線以外の電線にフェライトコアが取付けられてしまった場合には、当該電線による回路の信号波形に、想定外の減衰、なまり、遅延等が発生してしまう。本取付適否検査装置２０では、単にフェライトコア１８の取付の有無だけではなく、指定された電線以外の電線にフェライトコアが取付けられているような場合にも、その不適を判定することができるというメリットがある。
【００６８】
また、計測用信号の周波数域を分割した分割周波数域毎に、取付適否を判別しているため、部分的な周波数域において、測定波形データ６４ａが基準波形データ９０Ａからずれているような場合にも、フェライトコア１８の取付状態の適否をより正確に検査できる。
【００６９】
例えば、取付適否の判定を、相対誤差等の平均値或は相関係数等によって行ったような場合には、一部の周波数域における測定波形データ６４ａと基準波形データ９０Ａとのずれは相対的に過小評価される。そこで、上記のように、分割周波数域毎に、取付適否を判別すれば、部分的な周波数域における測定波形データ６４ａと基準波形データ９０Ａとのずれは、適正に評価されるため、フェライトコア１８の取付状態の適否をより正確に検査できる。
【００７０】
また、ワイヤーハーネス１０を構成する複数の電線１１，１２，１３，１４，１５に対して、順次計測用信号を供給して測定波形データ６４ａを得ているため、本来フェライトコア１８が取付けられるべきでない電線に対してもフェライトコア１８の取付適否を判断することができ、フェライトコアの取付状態の適否をより正確に検査できる。
【００７１】
また、スキャンインターフェース装置３０において、電線１１，１２，１３，１４，１５のうち測定対象以外のものを接地するため、当該測定対象以外の電線の影響を可及的に排除した測定波形データ６４ａを得ることができ、より正確な検査を行うことができる。
【００７２】
＜変形例＞
なお、上記では検査対象となるワイヤーハーネス１０が５本の電線１１，１２，１３，１４，１５を有する例で説明したが、スキャンインターフェース装置３０等の切替可能な接続数は、対象となる電線の本数に応じて適宜変更される。
【００７３】
また、実際には、検査対象となるワイヤーハーネスは、配線態様、フェライトコアの種類、取付態様等に関して、様々なバリエーションが存在し得る。そこで、そのようなワイヤーハーネスの種類（品番）に応じて、スキャンインターフェース装置３０の切替制御及び判定条件等を設定しておくとよい。この場合、検査制御装置に品番を入力することで、当該品番に応じたスキャンインターフェース装置３０の切替制御及び適否判定等を行わせるようにするとよい。
【００７４】
また、上記では分割周波数域毎に適否の判定を行っているが、必ずしも周波数域を分割して適否の判別を行う必要はない。
【００７５】
また、測定波形データ６４ａを得た後、最も減衰量が大きい分割周波数域（つまり、最も小さい測定値を含む分割周波数域）を特定し、当該特定された分割周波数域に関してのみ基準波形データ９０Ａとの比較を行って、フェライトコア１８の取付適否判定を行うようにしてもよい。通常、最も減衰量が大きい分割周波数域において、フェライトコア１８の取付による影響が現れていると考えられるため、上記によってもある程度の精度で取付適否を判定できると期待できるからである。
【００７６】
また、上記実施形態では、全ての電線１１，１２，１３，１４，１５に対して測定波形データ６４ａを得て比較及び適否判定を行っているが、必ずしもその必要はない。例えば、明らかにフェライトコア１８の取付間違いがなされない電線（例えば、フェライトコア１８の取付対象付近を通らないように分岐される電線、電線径或は種類等からして明らかにフェライトコアの取付対象を区別できる電線等）については検査対象から除外してもよい。換言すれば、フェライトコア１８の取付対象となる電線及び取付間違いされやすい電線（例えば、フェライトコア１８の取付対象となる電線近くを通る電線）等に限って測定波形データ６４ａを得て比較及び適否判定を行うようにしてもよい。
【符号の説明】
【００７７】
１０  ワイヤーハーネス
１１、１２，１３，１４，１５  電線
１８  フェライトコア
２０  取付適否検査装置
２２  ワイヤーハーネスセット機構部
３０  スキャンインターフェース装置
３１〜３５  第１電線切替部
３６  第２電線切替部
３７  装置切替部
４０  スペクトラムアナライザ
４２  計測用信号供給部
４４  測定部
６０  検査制御装置
６３  判別部
６３ａ  比較部
６３ｂ  適否判定部
６３ｃ  切替制御部
６４ａ  測定波形データ
６４ｂ  比較結果データ
９０Ａ  基準波形データ
【図１】
2010271114.tif 000003
【図２】
2010271114.tif 000004
【図３】
2010271114.tif 000005
【図４】
2010271114.tif 000006
【図５】
2010271114.tif 000007
【図６】
2010271114.tif 000008
【図７】
2010271114.tif 000009
【図８】
2010271114.tif 000010
【図９】
2010271114.tif 000011